【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
ソフトコンタクトレンズであって、前記ソフトコンタクトレンズは、
治療薬を放出するようにサイズを合わせられた複数の開口部を備えるコンテナと、
前記コンテナを被包するソフトコンタクトレンズ材料と
を備える、ソフトコンタクトレンズ。
【請求項２】
モジュールをさらに備え、前記モジュールは、前記コンテナを備え、前記モジュールは、前記モジュールを前記ソフトコンタクトレンズ材料に固定する複数のアンカを備え、前記モジュールは、前記治療薬の放出を抑制する障壁材料を備える、請求項１に記載のソフトコンタクトレンズ。
【請求項３】
前記モジュールの材料は、前記コンタクトレンズの光学的矯正部の少なくとも一部を横断して延在する光学的透明材料を備え、前記複数のアンカのうちの１つまたは複数は、前記レンズの光学的使用部内に少なくとも部分的に延在し、前記材料は、光散乱を抑制するために、前記ソフトコンタクトレンズ材料に類似する屈折率を備える、請求項２に記載のソフトコンタクトレンズ。
【請求項４】
前記開口部は、眼瞼の圧力に応答して治療薬のゲート放出を提供するようにサイズを合わせられ、前記複数の開口部のそれぞれにわたる表面張力が治療薬の拡散を抑制し、前記眼瞼の圧力は、前記複数の開口部を通して前記コンテナの流体を付勢する、請求項１に記載のソフトコンタクトレンズ。
【請求項５】
前記コンテナは、疎水性材料を備え、前記開口部は、眼瞼の圧力に応答して前記治療薬を放出するように、かつ前記コンタクトレンズが自由浮動構成を備えるときに前記治療薬の放出を抑制するようにサイズを合わせられ、随意に、前記開口部は、前記治療薬を含む溶液の表面張力に応答して、前記開口部を通る前記治療薬の拡散を抑制するようにサイズを合わせられ、かつ／または、随意に、前記コンテナの前記開口部は、前記コンテナの壁の厚さに沿って延在する長さを備え、前記眼瞼の圧力に応答して治療薬を放出するように、かつ断面積を通る前記治療薬の拡散を抑制するように、前記断面積について寸法決定され、随意に、前記断面積を横断した最大寸法は、約５０ｎｍ以下を含み、随意に、前記長さは、前記治療薬を含む流体の治療量が前記眼瞼の圧力で前記開口部を通して押し出されることを可能にするようにサイズを合わせられる、請求項１に記載のソフトコンタクトレンズ。
【請求項６】
前記自由浮動構成は、貯蔵コンテナの溶液中に配置された、前記コンタクトレンズの構成を含む、請求項５に記載のソフトコンタクトレンズ。
【請求項７】
薬物溶出ソフトコンタクトレンズであって、１リットルあたり１〜３００ミリモルの濃度における前記薬物の溶液で充填された流体充填モジュールを備える薬物溶出ソフトコンタクトレンズ。
【請求項８】
薬物溶出ソフトコンタクトレンズであって、１リットルあたり１〜３００ミリモルの濃度における前記薬物の溶液で充填された流体充填モジュールを備える薬物溶出ソフトコンタクトレンズ。
【請求項９】
前記モジュールは、薄膜から構成され、前記薄膜は、１００〜５００ナノメートルの範囲の直径の孔によって貫通される、
前記モジュールは、５ｍｍ〜１０ｍｍの範囲の直径である、
前記溶液は、前記孔を通ることを除いて、請求項２の薄膜を通って浸透することができない、
のうちの少なくとも１つである、請求項７に記載のモジュール。
【請求項１０】
前記孔は、もっぱら、請求項１のレンズが取り付けられた眼の角膜に対面する前記薄膜上に追加される、請求項８に記載の孔。
【請求項１１】
前記レンズは、実質的に、前記レンズが８ミリニュートンを上回る圧縮力下にあるときのみ、薬物を溶出する、
前記溶液は、１リットルあたり５０〜１００ミリモルの好ましい範囲の濃度を有する、
前記モジュールは、厚さが１０〜３０ミクロンの範囲である薄膜を備える、
前記薬物は、５０〜５００マイクログラム、好ましくは、５０〜２５０マイクログラムの範囲である、
前記溶液は、３〜１２マイクロリットルの体積である、
前記モジュールは、請求項１のコンタクトレンズが装着者の眼の中に取り付けられるとき、瞬き１回あたり５〜１０ピコリットルに等しい薬物の溶液の体積を吐出する、
前記モジュールは、瞬きの間、３〜２０ｍｍ水銀柱の眼瞼圧力をかけられる、
前記モジュールは、瞬き間の期間中、負圧をかけられる、
涙液が、瞬き間の期間中、請求項８の薄膜上の孔を通って前記モジュールに入る、
前記モジュールは、実質的に、前記レンズの屈折特性に影響を及ぼさない、
のうちの少なくとも１つである、請求項７に記載のコンタクトレンズ。
【請求項１２】
流体モジュールを備える薬物溶出ソフトコンタクトレンズであって、前記レンズは、１１カ月を超えない期間の間、連続的に装着されてもよい、薬物溶出ソフトコンタクトレンズ。
【請求項１３】
流体モジュールを備える薬物溶出ソフトコンタクトレンズであって、前記レンズは、少なくとも１年に１回、交換される、薬物溶出ソフトコンタクトレンズ。
【請求項１４】
前記レンズは、近視、遠視、乱視、プリズマティックエラー、およびそれらの任意の組み合わせの矯正のために設計される、請求項１〜１３のいずれか一項に記載のレンズ。
【請求項１５】
方法であって、請求項１〜１４のいずれか一項に記載のコンタクトレンズを提供することを含む、方法。
【手続補正２】
【補正対象書類名】明細書
【補正対象項目名】００４３
【補正方法】変更
【補正の内容】
【００４３】
流体モジュールの壁上の排液孔の直径は、モジュールがこの圧力下に配置されるとき、適切な排液率が達成されるように、調節される。
本発明は、例えば、以下を提供する。
（項目１）
ソフトコンタクトレンズであって、前記ソフトコンタクトレンズは、
治療薬を放出するようにサイズを合わせられた複数の開口部を備えるコンテナと、
前記コンテナを被包するソフトコンタクトレンズ材料と
を備える、ソフトコンタクトレンズ。
（項目２）
モジュールをさらに備え、前記モジュールは、前記コンテナを備え、前記モジュールは、前記モジュールを前記ソフトコンタクトレンズ材料に固定する複数のアンカを備え、前記モジュールは、前記治療薬の放出を抑制する障壁材料を備え、項目１に記載のソフトコンタクトレンズ。
（項目３）
前記モジュールの材料は、前記コンタクトレンズの光学的矯正部の少なくとも一部を横断して延在する光学的透明材料を備え、前記複数のアンカのうちの１つまたは複数は、前記レンズの光学的使用部内に少なくとも部分的に延在し、前記材料は、光散乱を抑制するために、前記ソフトコンタクトレンズ材料に類似する屈折率を備える、項目２に記載のソフトコンタクトレンズ。
（項目４）
前記開口部は、眼瞼の圧力に応答して治療薬のゲート放出を提供するようにサイズを合わせられ、前記複数の開口部のそれぞれにわたる表面張力が治療薬の拡散を抑制し、前記眼瞼の圧力は、前記複数の開口部を通して前記コンテナの流体を付勢する、項目１に記載のソフトコンタクトレンズ。
（項目５）
前記コンテナは、疎水性材料を備え、前記開口部は、眼瞼の圧力に応答して前記治療薬を放出するように、かつ前記コンタクトレンズが自由浮動構成を備えるときに前記治療薬の放出を抑制するようにサイズを合わせられる、項目１に記載のソフトコンタクトレンズ。
（項目６）
前記開口部は、前記治療薬を含む溶液の表面張力に応答して、前記開口部を通る前記治療薬の拡散を抑制するようにサイズを合わせられる、項目５に記載のソフトコンタクトレンズ。
（項目７）
前記コンテナの前記開口部は、前記コンテナの壁の厚さに沿って延在する長さを備え、前記眼瞼の圧力に応答して治療薬を放出するように、かつ断面積を通る前記治療薬の拡散を抑制するように、前記断面積について寸法決定される、項目５に記載のソフトコンタクトレンズ。
（項目８）
前記断面積を横断した最大寸法が、約５０ｎｍ以下を含む、項目７に記載のソフトコンタクトレンズ。
（項目９）
前記長さは、前記治療薬を含む流体の治療量が前記眼瞼の圧力で前記開口部を通して押し出されることを可能にするようにサイズを合わせられる、項目８に記載のソフトコンタクトレンズ。
（項目１０）
前記自由浮動構成は、貯蔵コンテナの溶液中に配置された、前記コンタクトレンズの構成を含む、項目５に記載のソフトコンタクトレンズ。
（項目１１）
薬物溶出ソフトコンタクトレンズであって、１リットルあたり１〜３００ミリモルの濃度における前記薬物の溶液で充填された流体充填モジュールを備える薬物溶出ソフトコンタクトレンズ。
（項目１２）
薬物溶出ソフトコンタクトレンズであって、１リットルあたり１〜３００ミリモルの濃度における前記薬物の溶液で充填された流体充填モジュールを備える薬物溶出ソフトコンタクトレンズ。
（項目１３）
前記モジュールは、薄膜から構成され、前記薄膜は、１００〜５００ナノメートルの範囲の直径の孔によって貫通される、項目１１に記載のモジュール。
（項目１４）
前記モジュールは、５ｍｍ〜１０ｍｍの範囲の直径である、項目１１に記載のモジュール。
（項目１５）
前記溶液は、前記孔を通ることを除いて、項目２の薄膜を通って浸透することができない、項目１１に記載のモジュール。
（項目１６）
前記孔は、もっぱら、項目１のレンズが取り付けられた眼の角膜に対面する前記薄膜上に追加される、項目１２に記載の孔。
（項目１７）
前記レンズは、実質的に、前記レンズが８ミリニュートンを上回る圧縮力下にあるときのみ、薬物を溶出する、項目１１に記載のコンタクトレンズ。
（項目１８）
前記溶液は、１リットルあたり５０〜１００ミリモルの好ましい範囲の濃度を有する、項目１１に記載の溶液。
（項目１９）
前記モジュールは、厚さが１０〜３０ミクロンの範囲である薄膜を備える、項目１１に記載のモジュール。
（項目２０）
前記薬物は、５０〜５００マイクログラム、好ましくは、５０〜２５０マイクログラムの範囲である、項目１１に記載の薬物。
（項目２１）
前記溶液は、３〜１２マイクロリットルの体積である、項目１１に記載の溶液。
（項目２２）
前記モジュールは、項目１のコンタクトレンズが装着者の眼の中に取り付けられるとき、瞬き１回あたり５〜１０ピコリットルに等しい薬物の溶液の体積を吐出する、項目１１に記載のモジュール。
（項目２３）
前記モジュールは、瞬きの間、３〜２０ｍｍ水銀柱の眼瞼圧力をかけられる、項目１１に記載のモジュール。
（項目２４）
前記モジュールは、瞬き間の期間中、負圧をかけられる、項目１１に記載のモジュール。
（項目２５）
涙液が、瞬き間の期間中、項目１２の薄膜上の孔を通って前記モジュールに入る、項目１１に記載のモジュール。
（項目２６）
前記モジュールは、実質的に、前記レンズの屈折特性に影響を及ぼさない、項目１１に記載の流体モジュール。
（項目２７）
流体モジュールを備える薬物溶出ソフトコンタクトレンズであって、前記レンズは、１１カ月を超えない期間の間、連続的に装着されてもよい、薬物溶出ソフトコンタクトレンズ。
（項目２８）
流体モジュールを備える薬物溶出ソフトコンタクトレンズであって、前記レンズは、少なくとも１年に１回、交換される、薬物溶出ソフトコンタクトレンズ。
（項目２９）
前記レンズは、近視、遠視、乱視、プリズマティックエラー、およびそれらの任意の組み合わせの矯正のために設計される、項目２６および２７に記載のレンズ。
（項目３０）
方法であって、前記項目のうちのいずれか一項に記載のコンタクトレンズを提供することを含む、方法。